(57)【特許請求の範囲】
【請求項１】
手動弁の弁棒に取付けられ、前記弁棒と一体的に上下動する第１発音手段と、
前記手動弁の開弁操作中に前記第１発音手段と接触する第２発音手段と、
前記手動弁に移動不能に取付けられ前記第２発音手段を支持する支持手段と、
を備え、
前記第１発音手段及び前記支持手段は、前記手動弁が開弁したときに前記第１発音手段と前記第２発音手段とが接触状態から非接触状態に移行する過程で前記第１発音手段及び／又は前記第２発音手段が発音するように、前記手動弁に外付け可能であることを特徴とする開弁報知具。
【請求項２】
前記第１発音手段及び前記第２発音手段のうち、少なくとも一方は、弾性を有し、
前記第１発音手段と前記第２発音手段とが接触状態から非接触状態に移行する過程で弾性を有する前記第１発音手段及び／又は前記第２発音手段が復元することにより発音することを特徴とする請求項１に記載の開弁報知具。
【請求項３】
前記支持手段は、筒状であり、内周面に前記第２発音手段を有していることを特徴とする請求項１又は２に記載の開弁報知具。
【請求項４】
前記支持手段は、発音時の音を増幅すべく、一方の開口端にかけて徐々に拡径されていることを特徴とする請求項３に記載の開弁報知具。
【請求項５】
前記支持手段は、前記第２発音手段の位置を調節可能に構成されていることを特徴とする請求項１から４のいずれか１項に記載の開弁報知具。
【請求項６】
前記支持手段は、前記第２発音手段を有する発音ユニットと、前記発音ユニットを前記手動弁に連結する連結ユニットとを備え、
前記連結ユニットは、前記連結ユニットに対する前記発音ユニットの位置を調節して前記発音ユニットを取付可能であり、
前記連結ユニットに対する前記発音ユニットの位置を調節することで前記第２発音手段の位置を調節可能であることを特徴とする請求項１から５のいずれか１項に記載の開弁報知具。
【請求項７】
前記第１発音手段及び前記支持手段は、前記手動弁に着脱自在に取付可能な着脱手段を有していることを特徴とする請求項１から６のいずれか１項に記載の開弁報知具。
【発明の詳細な説明】
【技術分野】
【０００１】
本発明は、手動弁の開弁操作時に開弁したことを報知する開弁報知具に関する。
【背景技術】
【０００２】
手動弁において、閉弁状態から開弁するまでのハンドル（弁棒）の遊びが大きい場合、開弁操作時にハンドルの遊び分の回転で開弁されたものと思うが、実際には開弁していないことがある。特に手動弁の上流及び下流で圧力差がある場合には開弁に非常に大きな力が必要となるため、経験の浅い者は、開弁されたか否かの判断を行うことが難しい。開弁すべき系統で手動弁が開弁されなかった場合、ポンプ等の機器が損傷する恐れがあるため、手動弁の開弁は、確実に行う必要がある。
【０００３】
手動弁の開弁又は閉弁を確実に行うべく、手動弁の開閉状態を確認するための技術が種々、提案されている。例えば、弁本体に対するハンドル又は弁棒の位置と、弁棒に生じる反力とを検出することで手動弁の開閉状態を判定して表示する弁開閉状態監視装置が提案されている（例えば特許文献１参照）。
【０００４】
また回転弁において、弁体の回転に伴いながら弾性変形する発音板を設け、全閉時に発音板が開放され復元し回転弁の一部に衝突して発音することで、全閉状態を報知する開度確認装置が提案されている（例えば特許文献２参照）
【先行技術文献】
【特許文献】
【０００５】
【特許文献１】特開平９−１４４９８号公報
【特許文献２】特開２００６−２８５８号公報
【発明の概要】
【発明が解決しようとする課題】
【０００６】
特許文献１に記載の手動弁の弁開閉状態監視装置によれば、弁の開閉状態を精度良く検出可能であるが、検出器や判定器、表示器用の電源が必要となる。また装置自体が比較的高価であるとともに、設定やメンテナンスにもコストが掛かってしまう。
【０００７】
特許文献２に記載の開度確認装置によれば、全閉を容易に確認可能であるが、開弁の確認を行うことができない。また外付けすることができず弁自体を改造する必要があり、コストが掛かってしまう。
【０００８】
本発明の目的は、手動弁の開弁を報知する、低コストで設置及び運用可能な開弁報知具を提供することである。
【課題を解決するための手段】
【０００９】
本発明は、手動弁の弁棒に取付けられ、前記弁棒と一体的に上下動する第１発音手段と、前記手動弁の開弁操作中に前記第１発音手段と接触する第２発音手段と、前記手動弁に移動不能に取付けられ前記第２発音手段を支持する支持手段と、を備え、前記第１発音手段及び前記支持手段は、前記手動弁が開弁したときに前記第１発音手段と前記第２発音手段とが接触状態から非接触状態に移行する過程で前記第１発音手段及び／又は前記第２発音手段が発音するように、前記手動弁に外付け可能であることを特徴とする開弁報知具である。
【００１０】
本発明の開弁報知具によれば、第１発音手段と第２発音手段とを接触させて発音させる簡単な構成で手動弁の開弁を報知可能であるとともに、既存の手動弁に外付け可能なので、低コストで設置及び運用することができる。
【００１１】
また本発明の開弁報知具において、前記第１発音手段及び前記第２発音手段のうち、少なくとも一方は、弾性を有し、前記第１発音手段と前記第２発音手段とが接触状態から非接触状態に移行する過程で弾性を有する前記第１発音手段及び／又は前記第２発音手段が復元することにより発音することを特徴とする。
【００１２】
本発明の開弁報知具によれば、開弁を報知するための電源が不要なので、低コストで設置及び運用が可能である。
【００１３】
また本発明の開弁報知具において、前記支持手段は、筒状であり、内周面に前記第２発音手段を有していることを特徴とする。
【００１４】
本発明の開弁報知具によれば、支持手段が筒状なので、構成が簡単であり手動弁のハンドルへの取付けが容易である。また内周面に第２発音手段を有しているので、発音した音を筒内で反響させて増幅させることも可能である。
【００１５】
また本発明の開弁報知具において、前記支持手段は、発音時の音を増幅すべく、一方の開口端にかけて徐々に拡径されていることを特徴とする。
【００１６】
本発明の開弁報知具によれば、支持手段が一方の開口端にかけて徐々に拡径され、発音時の音が増幅されるので、簡単な構成で開弁時の報知音を聞き取り易くすることができる。
【００１７】
また本発明の開弁報知具において、前記支持手段は、前記第２発音手段の位置を調節可能に構成されていることを特徴とする。
【００１８】
また本発明の開弁報知具において、前記支持手段は、前記第２発音手段を有する発音ユニットと、前記発音ユニットを前記手動弁に連結する連結ユニットとを備え、前記連結ユニットは、前記連結ユニットに対する前記発音ユニットの位置を調節して前記発音ユニットを取付可能であり、前記連結ユニットに対する前記発音ユニットの位置を調節することで前記第２発音手段の位置を調節可能であることを特徴とする。
【００１９】
本発明の開弁報知具によれば、第２発音手段の位置を調節可能なので、支持手段を手動弁に取付るときの微調整が容易であるとともに、ハンドルの遊びが異なる複数の手動弁に適用することができる。
【００２０】
また本発明の開弁報知具において、前記第１発音手段及び前記支持手段は、前記手動弁に着脱自在に取付可能な着脱手段を有していることを特徴とする。
【００２１】
本発明の開弁報知具によれば、手動弁に着脱可能なので、開弁操作時のみ手動弁に取付けて使用し、開弁操作後に取外すことで、１つの開弁報知具で複数の手動弁に対応することも可能である。
【発明の効果】
【００２２】
本発明の開弁報知具によれば、第１発音手段と第２発音手段とを接触させて発音させる簡単な構成で手動弁の開弁を報知可能であるとともに、既存の手動弁に外付け可能なので、低コストで設置及び運用することができる。
【図面の簡単な説明】
【００２３】
【図１】本発明の第１実施形態の開弁報知具１が取付けられた手動弁８１において、ハンドル８２が閉方向に回転し切った状態を示す正面図である。
【図２】図１の手動弁８１の平面図である。
【図３】図１の手動弁８１において、ハンドル８２が遊び分回転した状態を示す正面図である。
【図４】図１の手動弁８１が開弁した状態を示す正面図である。
【図５】図１の手動弁８１において、ハンドル８２が開方向に回転し切った状態を示す正面図である。
【図６】本発明の第２実施形態の開弁報知具２が取付けられた手動弁９１において、ハンドル８２が遊び分回転した状態を示す正面図である。
【図７】図６の開弁報知具２の支持手段４１の斜視図である。
【図８】図６の手動弁９１において、ハンドル８２を開方向へ回転し切った状態を示す正面図である。
【図９】本発明の第３実施形態の開弁報知具３が取付けられた手動弁８１が開弁した状態を示す正面図である。
【図１０】本発明の第４実施形態の開弁報知具４が取付けられた手動弁８１が閉弁している状態を示す正面図である。
【図１１】本発明の第５実施形態の開弁報知具５が取付けられた手動弁８１の平面図である。
【図１２】本発明の第６実施形態の開弁報知具６が取付けられた手動弁８１が閉弁している状態を示す正面図である。
【図１３】本発明の第７実施形態の開弁報知具７が取付けられた手動弁８１において、ハンドル８２が遊び分回転した状態を示す正面図である。
【図１４】図１３の手動弁８１が開弁した状態を示す正面図である。
【発明を実施するための形態】
【００２４】
図１は、本発明の第１実施形態の開弁報知具１が取付けられた手動弁８１において、ハンドル８２が閉方向に回転し切った状態を示す正面図である。図２は、図１の手動弁８１の平面図である。図３は、図１の手動弁８１において、ハンドル８２が遊び分回転した状態を示す正面図である。図４は、図１の手動弁８１が開弁した状態を示す正面図である。図５は、図１の手動弁８１において、ハンドル８２が開方向に回転し切った状態を示す正面図である。なお図２では、第１発音手段１１を省略しており、図３から図５では、支持手段２１のみ断面を示している。
【００２５】
本実施形態の開弁報知具１は、手動弁８１の弁棒８３に取付けられる第１発音手段１１と、弾性を有する第２発音手段２２を有し手動弁８１のハンドル８２に取付けられる筒状の支持手段２１とを備え、開弁操作時に第１発音手段１１が弁棒８３とともに上昇して第２発音手段２２に接触することで第２発音手段２２が第１発音手段１１に押込まれて弾性変形し、開弁時に第１発音手段１１が第２発音手段２２から外れて第２発音手段２２が反発力によって復元することで発音し手動弁８１の開弁を報知する。
【００２６】
手動弁８１は、開閉操作を行うハンドル８２、基端に弁体（図示省略）を有しハンドル８２の回転操作に伴い上下動する弁棒８３、流路（図示省略）を有する弁箱８４、及び弁箱８４の蓋８５を備える、開閉操作時にハンドル８２が上下動しない種類の公知の手動弁である。
【００２７】
第１発音手段１１は、リング状の部材であり、開弁操作時に第２発音手段２２をスムーズに押込むべく外周が鋭角に形成されている。第１発音手段１１は、手動弁８１の弁棒８３の先端に取付けられ止めネジ（図示省略）等で動かないようにしっかりと固定されている。
【００２８】
第１発音手段１１の形状は、特定の形状に限定されるものではなく、弁棒８３に固定され第２発音手段２２を弾性変形させて発音させることが可能な形状であればよい。また第１発音手段１１の材質は、特定の材質に限定されるものではなく、第２発音手段２２を弾性変形させて発音させることが可能な剛性を有していればよい。
【００２９】
第１発音手段１１の弁棒８３への取付方法は、特定の方法に限定されるものではなく、取外す必要がない場合には、溶接等で弁棒８３に接合してもよい。
【００３０】
支持手段２１は、円筒体であり、内周面に半球突起状の第２発音手段２２を有し、下端に手動弁８１に取付可能に形成された連結部２３を有している。支持手段２１は、手動弁８１のハンドル８２のハブ８７に連結部２３を介して取付けられ、ハブ８７に対して動かないようにしっかりと固定される。支持手段２１の上端は開放されているが、閉塞されていてもよい。ただし上端が開放されている方が開弁時の音を聞き取り易い。
【００３１】
支持手段２１は、手動弁８１に固定可能であり、開弁時に発音するように第２発音手段２２を支持可能であればよく、円筒体に限定されるものではないが、円筒体とすることでハンドル８２のハブ８７への固定が容易となる。また筒状とすることで、後述するように発音時の音が筒内で反響して増幅する効果も期待することができる。
【００３２】
第２発音手段２２は、第１発音手段１１に押込まれて弾性変形した後、反発力によって復元可能な弾性を有し、支持手段２１の内周面の４箇所に同じ高さで取付けられている。第１発音手段１１及び第２発音手段２２の取付位置（高さ）は、手動弁８１が閉弁状態から開弁状態になったとき（図４参照）に、第１発音手段１１が第２発音手段２２から外れ、第２発音手段２２が復元して発音するように決められている。第１発音手段１１及び第２発音手段２２の高低差は、基本的に、ハンドル８２の遊び分の第１発音手段１１（弁棒８３）の上昇距離に一致する。
【００３３】
第２発音手段２２の数や形状は、特に限定されるものではなく、第１発音手段１１に押込まれて弾性変形した状態から復元するときに発音可能であればよく、例えば、リング状の１つの第２発音手段（図示省略）が支持手段２１の内周面に取付けられていてもよい。
【００３４】
連結部２３には、９０°間隔でネジ孔が形成されており、ネジ孔に対して４５°ずらした位置にハンドル８２のスポーク８８をかわすための切欠２６が形成されている。ネジ２７をネジ孔の外側からハンドル８２のハブ８７の周面に締付けることで、支持手段２１がハンドル８２のハブ８７に固定される。なおネジ孔及び切欠２６の形状及び位置は、ハンドル８２の形状に合わせて、適宜変更すればよい。
【００３５】
なお支持手段２１の手動弁８１への取付方法は、上述した連結部２３を用いる方法に限定されるものではなく、例えば、針金等でハンドル８２に括り付けてもよい。また取外す必要がない場合には、第１発音手段１１と同様、溶接等でハンドル８２に接合してもよい。
【００３６】
次に本実施形態の開弁報知具１の作用について説明する。手動弁８１のハンドル８２が閉方向に回転し切った状態（図１参照）から、開方向に回転させると弁棒８３が徐々に上昇し、これに伴い弁棒８３の先端に取付けられている第１発音手段１１も上昇する。
【００３７】
第１発音手段１１が上昇して第２発音手段２２と接触すると、第１発音手段１１が第２発音手段２２を押込み、第２発音手段２２が弾性変形により収縮する（図３参照）。このときハンドル８２の回転は、閉弁から開弁までの遊びの範囲内であり、手動弁８１は、開弁していない。
【００３８】
手動弁８１が開弁するまでハンドル８２を開方向に回転させると、第１発音手段１１が上昇して第２発音手段２２から外れ、第２発音手段２２が反発力によって復元し発音する（図４参照）。第２発音手段２２の発音によって手動弁８１の開弁が報知される。
【００３９】
以上のように、本実施形態の開弁報知具１によれば、第１発音手段１１と第２発音手段２２とを接触させて発音させる簡単な構成で手動弁８１の開弁を報知可能であるとともに、既存の手動弁８１を改造することなく外付け可能なので、低コストで設置及び運用が可能であり、また設置に大きなスペースを必要としない。またメンテナンスがほとんど不要であり、開弁を報知するための電源も不要なので、非常に低コストで設置及び運用が可能である。
【００４０】
さらに本実施形態の開弁報知具１は、手動弁８１に着脱可能なので、開弁操作時のみ手動弁８１に取付けて使用し、開弁操作後に取外すことで、１つの開弁報知具１で複数の手動弁８１に対応することも可能である。
【００４１】
また本実施形態の開弁報知具１によれば、支持手段２１は、第２発音手段２２の上部に円筒部を有しており、発音時の音が筒内で反響して増幅するので、後述する第６実施形態の開弁報知具６（図１２参照）に比べて、発音時の音が聞き取り易い。
【００４２】
また本実施形態の開弁報知具１において、支持手段２１は、ハンドル８２が開方向に回転し切った状態において、上端の高さが第１発音手段１１の高さよりも高くなるように形成されている（図５参照）。これを利用して、支持手段２１を透明な材料で形成するとともに、第１発音手段１１の高さに応じて手動弁８１の開度を示す目盛を支持手段２１の周面に付すことで、第１発音手段１１をインジケータ、支持手段２１をインジケータカバーとする開度指示器として本実施形態の開弁報知具１を機能させることも可能である。
【００４３】
さらに言うと、公知の開度指示器において、インジケータに第１発音手段１１を使用し、インジケータカバーに第２発音手段２２を取付けることで本発明の開弁報知具を構成することも可能である。なお公知のインジケータカバーは、通常、上端が閉塞されているので、開弁時の音が聞き取り難い場合には、上端を開放すればよい。
【００４４】
図６は、本発明の第２実施形態の開弁報知具２が取付けられた手動弁９１において、ハンドル８２が遊び分回転した状態を示す正面図である。図７は、図６の開弁報知具２の支持手段４１の斜視図である。図８は、図６の手動弁９１において、ハンドル８２を開方向へ回転し切った状態を示す正面図である。なお図６及び図８では、支持手段４１のみ断面を示している。図１から図５に示す第１実施形態の開弁報知具１と同一の構成には同一の符号を付して説明を省略する。
【００４５】
本実施形態の開弁報知具２は、第１実施形態の開弁報知具１と基本的構成は同じであるが、取付対象となる手動弁９１の種類が異なることに伴い、第１発音手段３１及び支持手段４１の構成が異なる。取付対象となる手動弁９１は、開閉時にハンドル８２が弁棒８３とともに昇降する種類の公知の手動弁である。
【００４６】
第１発音手段３１は、２つの半円リング３２で構成されており、ハンドル８２と蓋８５との間において、２つの半円リング３２で弁棒８３を挟み込んだ状態で互いにネジ止めされ、弁棒８３に動かないようにしっかりと固定される。２つの半円リング３２には、互いに対向する面にネジ止部３３が形成されている。また第１発音手段３１が弁棒８３上で滑らないように、半円リング３２の内周面に滑り止めが設けられていると、より好ましい。
【００４７】
支持手段４１は、拡径部４３を有する２つの半円筒体４２で構成されており、２つの半円筒体４２が円筒状になるように手動弁９１の蓋８５を拡径部４３で挟み込んだ状態でネジ止めされ、蓋８５に動かないようにしっかりと固定される。２つの半円筒体４２には、互いに対向する面にネジ止部４４が形成されている。また支持手段４１が蓋８５の外周面に対して滑らないように、拡径部４３の内周面に滑り止めが設けられていると、より好ましい。
【００４８】
第１発音手段３１及び支持手段４１（第２発音手段２２）は、手動弁９１の開弁時に第２発音手段２２が復元して発音するように、取付位置（高さ）が決められている。なお第１発音手段３１及び支持手段４１の固定方法は、上述した方法に限定されるものではなく、取外す必要がない場合には、溶接等で接合してもよい。
【００４９】
本実施形態の開弁報知具２の作用は、第１実施形態の開弁報知具１の作用と同じなので説明を省略する。
【００５０】
本実施形態の開弁報知具２によれば、第１発音手段３１及び支持手段４１が半割構成なので、ハンドル８２と弁棒８３とが一体的に昇降する手動弁９１に対して、第１発音手段３１及び支持手段４１を着脱可能に外付けすることができる。なお開弁報知具２を手動弁９１に予め取付可能な場合には、第１発音手段３１及び支持手段４１を半割構成にする必要はない。
【００５１】
図９は、本発明の第３実施形態の開弁報知具３が取付けられた手動弁８１が開弁した状態を示す正面図である。なお図９では、支持手段５１のみ断面を示している。図１から図５に示す第１実施形態の開弁報知具１と同一の構成には同一の符号を付して説明を省略する。本実施形態の開弁報知具３は、第１実施形態の開弁報知具１と基本的構成は同じであるが、支持手段５１の形状が異なる。
【００５２】
支持手段５１は、発音時の音をさらに増幅すべく、上端にかけて徐々に拡径されたメガホン形状となっている。なお、音を増幅するための支持手段５１の形状は、図９に示したものに限定されるものではなく、適宜最適な形状とすればよい。
【００５３】
本実施形態の開弁報知具３の作用は、第１実施形態の開弁報知具１の作用と同じなので説明を省略する。
【００５４】
本実施形態の開弁報知具３によれば、簡単な形状の変更により、第１実施形態の開弁報知具１から、さらに発音時の音を増幅させることができる。
【００５５】
図１０は、本発明の第４実施形態の開弁報知具４が取付けられた手動弁８１が閉弁している状態を示す正面図である。図１から図５に示す第１実施形態の開弁報知具１と同一の構成には同一の符号を付して説明を省略する。本実施形態の開弁報知具４は、第１実施形態の開弁報知具１と基本的構成は同じであるが、支持手段６１の構成が異なる。
【００５６】
支持手段６１は、第２発音手段２２を有する発音ユニット６２と、手動弁８１に取付けるための連結ユニット６３とに分割されており、連結ユニット６３に取付けるときの発音ユニット６２の高さを調節可能に構成されている。
【００５７】
発音ユニット６２は、円筒体であり、内周面の一端に第２発音手段２２を有し、外周面に雄ネジ部６５を有している。連結ユニット６３は、円筒体であり、手動弁８１に取付可能に形成された連結部２３を一端に有し、他端側の内周面に発音ユニット６２の雄ネジ部６５と螺合する雌ネジ部６６を有し、周壁の一部に発音ユニット６２を固定する止めネジ６７用のネジ孔６８を有している。
【００５８】
支持手段６１は、連結ユニット６３が連結部２３を介して手動弁８１のハンドル８２のハブ８７に取付けられ、発音ユニット６２が雄ネジ部６５及び雌ネジ部６６を介して連結ユニット６３に取付けられ、手動弁８１の開弁時に発音するように発音ユニット６２を回転させて第２発音手段２２の高さを調節し、止めネジ６７により発音ユニット６２を固定することで取付が完了する。
【００５９】
本実施形態の開弁報知具４の作用は、第１実施形態の開弁報知具１の作用と同じなので説明を省略する。
【００６０】
本実施形態の開弁報知具４によれば、第２発音手段２２の高さを調節可能なので、開弁時に正確に発音するように、支持手段６１をハンドル８２に取付けるときに微調節が可能であるとともに、開弁時のハンドルの遊びが異なる複数の手動弁に適用することができる。
【００６１】
なお第２実施形態の開弁報知具２についても、本実施形態の開弁報知具４と同様、支持手段を発音ユニットと連結ユニットとで構成することで第２発音手段２２の高さを調節可能となる。
【００６２】
図１１は、本発明の第５実施形態の開弁報知具５が取付けられた手動弁８１の平面図である。図１から図５に示す第１実施形態の開弁報知具１と同一の構成には同一の符号を付して説明を省略する。本実施形態の開弁報知具５は、第１実施形態の開弁報知具１と基本的構成は同じであるが、第１発音手段７１及び第２発音手段７３の形状が異なる。
【００６３】
第１発音手段７１は、リング状の部材であり、第２発音手段７３と接触する凸部７４を９０°毎に有している。第２発音手段７３は、弾性を有する板材であり、９０°毎に２枚の板材７３ａ、７３ｂが並んだ状態で支持手段７２の内周面に固定されている。なお第１発音手段７１の凸部７４及び第２発音手段７３の間隔は、９０°に限定されるものではない。また第１発音手段７１の凸部７４及び第２発音手段７３の数も、特定の数に限定されるものではない。
【００６４】
本実施形態の開弁報知具５では、開弁操作に伴い第１発音手段７１が上昇し支持手段７２がハンドル８２とともに回転する。第１発音手段７１が第２発音手段７３に接触すると、第２発音手段７３が支持手段７２の回転方向の逆方向に押込まれて弾性変形し、第１発音手段７１が第２発音手段７３から外れると、第２発音手段７３が反発力によって復元して振動し隣り合う２枚の板材７３ａ、７３ｂ同士が接触して発音する。
【００６５】
本発明の開弁報知具の第１発音手段及び第２発音手段は、本実施形態の開弁報知具５のように、特定の構成に限定されるものではなく、開弁操作に伴って第１発音手段と第２発音手段とが接触して発音するように構成されていればよい。例えば、鈴を第２発音手段とし、第１発音手段の接触又は板材等の復元によって直接又は間接的に鈴を鳴らすように構成されていてもよい。
【００６６】
図１２は、本発明の第６実施形態の開弁報知具６が取付けられた手動弁８１が閉弁している状態を示す正面図である。図１から図５に示す第１実施形態の開弁報知具１と同一の構成には同一の符号を付して説明を省略する。本実施形態の開弁報知具６は、第１実施形態の開弁報知具１と基本的構成は同じであるが、支持手段１０１の長さが短い。
【００６７】
支持手段１０１は、第１実施形態の開弁報知具１の支持手段２１において、第２発音手段２２よりも上の部分を除去した形状に形成されている。
【００６８】
本実施形態の開弁報知具６によれば、第１実施形態の開弁報知具１に比べて、開弁時の音の聞き取り易さは劣るものの、非常にコンパクトに構成することができる。
【００６９】
図１３は、本発明の第７実施形態の開弁報知具７が取付けられた手動弁８１において、ハンドル８２が遊び分回転した状態を示す正面図である。図１４は、図１３の手動弁８１が開弁した状態を示す正面図である。図１から図５に示す第１実施形態の開弁報知具１と同一の構成には同一の符号を付して説明を省略する。本実施形態の開弁報知具７は、第１実施形態の開弁報知具１と基本的構成は同じであるが、弁棒８３に取付けられた第１発音手段１１１が弾性を有し発音する。
【００７０】
第１発音手段１１１は、弾性を有するリング状の板部材であり、弁棒８３の先端に動かないようにしっかりと固定されている。第２発音手段１１２は、第１発音手段１１１と接触したときに第１発音手段１１１を弾性変形させる剛性を有し、支持手段１１３の内周面から鋭角に突出している。なお第２発音手段１１２は、支持手段１１３の内周面の全周に亘って形成されていてもよく、所定間隔で複数個、同じ高さで形成されていてもよい。
【００７１】
第１発音手段１１１及び第２発音手段１１２の高さは、第１実施形態の開弁報知具１と同様、手動弁８１が閉弁状態から開弁状態になったとき（図１４参照）に発音するように決められている。
【００７２】
本実施形態の開弁報知具７は、ハンドル８２を開方向に回転させると、弁棒８３とともに第１発音手段１１１が上昇し、第１発音手段１１１が第２発音手段１１２に接触して押し込まれて弾性変形し（図１３参照）、手動弁８１が開弁したときに第１発音手段１１１が第２発音手段１１２から外れて反発力により復元して振動することで発音する（図１４参照）。
【００７３】
本発明の開弁報知具は、本実施形態の開弁報知具７のように、弁棒８３に取付けられた第１発音手段が発音するように構成されていてもよい。
【００７４】
以上、第１から第７実施形態の開弁報知具１、２、３、４、５、６、７を用いて、本発明の開弁報知具を説明したが、本発明の開弁報知具は、上記実施形態に限定されるものではなく要旨を変更しない範囲で変形することができる。例えば、本発明の開弁報知具は、第１発音手段及び第２発音手段の両方が発音するように構成してもよい。
【００７５】
また第１から第６実施形態の開弁報知具１、２、３、４、５、６、７において、第１発音手段１１、３１、７１、１１１の弁棒８３に対する取付高さを調節可能とすることで、第１発音手段１１１又は第２発音手段２２、７３が開弁時に発音するように調節することも可能である。
【００７６】
また第１から第６実施形態の開弁報知具１、２、３、４、５、６、７では、手動弁が開弁状態から閉弁状態に移行するときにも第１発音手段１１１又は第２発音手段２２、７３が発音するので、手動弁８１、９１の閉弁を報知することも可能である。
【００７７】
また本発明の開弁報知具は、手動弁のみならず、電動弁にも適用可能である。
【００７８】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００７９】
１、２、３、４、５、６、７  開弁報知具
１１、３１、７１、１１１  第１発音手段
２１、４１、５１、６１、７２、１０１、１１３  支持手段
２２、７３、１１２  第２発音手段
２３  連結部
３３、４４  ネジ止部
６２  発音ユニット
６３  連結ユニット
８１、９１  手動弁
８３  弁棒
【図１】
0006631940.tif 000002
【図２】
0006631940.tif 000003
【図３】
0006631940.tif 000004
【図４】
0006631940.tif 000005
【図５】
0006631940.tif 000006
【図６】
0006631940.tif 000007
【図７】
0006631940.tif 000008
【図８】
0006631940.tif 000009
【図９】
0006631940.tif 000010
【図１０】
0006631940.tif 000011
【図１１】
0006631940.tif 000012
【図１２】
0006631940.tif 000013
【図１３】
0006631940.tif 000014
【図１４】
0006631940.tif 000015